【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
所定の地図表示装置に地図データを配信する地図データ配信装置であって、
地図データを記憶する地図データ記憶部と、
前記地図表示装置の表示画面に表示すべき地図上の地点を特定するための位置特定情報を入力する位置特定情報入力部と、
前記位置特定情報に基づいて設定された表示範囲を分割して、複数の配信単位領域を決定する配信単位決定部と、
前記地図データ記憶部から前記地図データを取得し、前記複数の配信単位領域の地図を前記地図表示装置の表示画面に表示させるための複数の配信データをそれぞれ作成する配信データ作成部と、
前記複数の配信データを、前記位置特定情報に基づいて定められた優先度に従って、順次、前記地図表示装置に配信する地図データ配信部と、
を備える地図データ配信装置。
【請求項２】
請求項１記載の地図データ配信装置であって、
前記表示範囲は、前記位置特定情報によって特定される前記地点が略中心に配置されるように設定されている、
地図データ配信装置。
【請求項３】
請求項１記載の地図データ配信装置であって、
前記位置特定情報は、複数あり、
前記表示範囲は、前記複数の位置特定情報によって特定される複数の前記地点を含むように設定されている、
地図データ配信装置。
【請求項４】
請求項１記載の地図データ配信装置であって、さらに、
前記複数の配信データに対して、前記地図上の地点を含む配信データの配信順序が、該地図上の地点を含まない配信データの配信順序よりも先となるように、前記優先度を設定する優先度設定部を備える、
地図データ配信装置。
【請求項５】
所定の地図表示装置に地図データを配信する地図データ配信装置であって、
地図データを記憶する地図データ記憶部と、
前記地図表示装置の表示画面に表示すべき地図上の複数の地点を特定するための位置特定情報を入力する位置特定情報入力部と、
前記地図データ記憶部から前記地図データを取得し、前記複数の地点を含むように設定された表示範囲の地図が、前記地図表示装置の表示画面に、複数領域に分けて順次表示されるように、前記地図表示装置に配信すべき複数の配信データをそれぞれ作成する配信データ作成部と、
前記複数の配信データに対して、前記複数の地点のうちの２点を結ぶ線分を含む領域の配信データの配信順序が、他の配信データの配信順序よりも先になるように、前記配信順序の優先度を設定する優先度設定部と、
前記優先度に従って、順次、前記複数の配信データを前記地図表示装置に配信する地図データ配信部と、
を備える地図データ配信装置。
【請求項６】
請求項５記載の地図データ配信装置であって、さらに、
前記表示範囲のサイズを特定するためのサイズ特定情報を入力するサイズ特定情報入力部を備える、
地図データ配信装置。
【請求項７】
請求項５記載の地図データ配信装置であって、
前記地図データ記憶部は、前記地図データをメッシュ単位で記憶しており、
前記配信データ作成部は、前記表示範囲を、前記メッシュ単位とは無関係に設定された単位で分割して、複数の配信単位領域を決定し、前記地図データから、前記複数の配信データを作成する、
地図データ配信装置。
【請求項８】
請求項５記載の地図データ配信装置であって、
前記２点は、前記地図表示装置で設定された出発地および目的地であり、
前記優先度設定部は、さらに、前記出発地を含む配信データの配信順序が最先となるように、前記優先度を設定する、
地図データ配信装置。
【請求項９】
地図表示装置であって、
地図データを記憶する地図データ記憶部と、
前記地図表示装置の表示画面に表示すべき地図上の地点を特定するための位置特定情報を入力する位置特定情報入力部と、
前記位置特定情報に基づいて設定された表示範囲を分割して、複数の表示単位領域を決定する表示単位決定部と、
前記地図データ記憶部から前記地図データを取得し、前記複数の表示単位領域の地図を前記表示画面に表示するための複数の表示データをそれぞれ作成する表示データ作成部と、
前記複数の表示データを、前記位置特定情報に基づいて定められた優先度に従って、順次、前記表示画面に表示する表示制御部と、
を備える地図表示装置。
【請求項１０】
請求項９記載の地図表示装置であって、
前記表示範囲は、前記位置特定情報によって特定される前記地点が略中心に配置されるように設定されている、
地図表示装置。
【請求項１１】
請求項９記載の地図表示装置であって、
前記位置特定情報は、複数あり、
前記表示範囲は、前記複数の位置特定情報によって特定される複数の前記地点を含むように設定されている、
地図表示装置。
【請求項１２】
請求項９記載の地図表示装置であって、さらに、
前記複数の表示データに対して、前記地図上の地点を含む表示データの表示順序が、該地図上の地点を含まない表示データの表示順序よりも先となるように、前記優先度を設定する優先度設定部を備える、
地図表示装置。
【請求項１３】
地図表示装置であって、
地図データを記憶する地図データ記憶部と、
前記地図表示装置の表示画面に表示すべき地図上の複数の地点を特定するための位置特定情報を入力する位置特定情報入力部と、
前記地図データ記憶部から前記地図データを取得し、前記複数の地点を含むように設定された表示範囲の地図が、前記表示画面に複数領域に分けて順次表示されるように、前記表示画面に表示すべき複数の表示データをそれぞれ作成する表示データ作成部と、
前記複数の表示データに対して、前記複数の地点のうちの２点を結ぶ線分を含む領域の表示データの表示順序が、他の表示データの表示順序よりも先になるように、前記表示順序の優先度を設定する優先度設定部と、
前記優先度に従って、順次、前記複数の表示データを前記表示画面に表示する表示制御部と、
を備える地図表示装置。
【請求項１４】
請求項１３記載の地図表示装置であって、さらに、
前記表示範囲のサイズを特定するためのサイズ特定情報を入力するサイズ特定情報入力部を備える、
地図データ配信装置。
【請求項１５】
請求項１３記載の地図表示装置であって、
前記地図データ記憶部は、前記地図データをメッシュ単位で記憶しており、
前記表示データ作成部は、前記表示範囲を、前記メッシュ単位とは無関係に設定された単位で分割して、複数の表示単位領域を決定し、前記地図データから、前記複数の表示データを作成する、
地図表示装置。
【請求項１６】
請求項１３記載の地図表示装置であって、
前記２点は、前記地図表示装置のユーザによって設定された出発地および目的地であり、
前記優先度設定部は、さらに、前記出発地を含む表示データの表示順序が最先となるように、前記優先度を設定する、
地図表示装置。
【請求項１７】
所定の地図表示装置に地図データを配信する地図データ配信装置の制御方法であって、
前記地図データ配信装置は、地図データを記憶する地図データ記憶部を備えており、
前記地図表示装置の表示画面に表示すべき地図上の地点を特定するための位置特定情報を入力する位置特定情報入力工程と、
前記位置特定情報に基づいて設定された表示範囲を分割して、複数の配信単位領域を決定する配信単位決定工程と、
前記地図データ記憶部から前記地図データを取得し、前記複数の配信単位領域の地図を前記地図表示装置の表示画面に表示させるための複数の配信データをそれぞれ作成する配信データ作成工程と、
前記複数の配信データを、前記位置特定情報に基づいて定められた優先度に従って、順次、前記地図表示装置に配信する地図データ配信工程と、
を備える制御方法。
【請求項１８】
所定の地図表示装置に地図データを配信する地図データ配信装置の制御方法であって、
前記地図データ配信装置は、地図データを記憶する地図データ記憶部を備えており、
前記地図表示装置の表示画面に表示すべき地図上の複数の地点を特定するための位置特定情報を入力する位置特定情報入力工程と、
前記地図データ記憶部から前記地図データを取得し、前記複数の地点を含むように設定された表示範囲の地図が、前記地図表示装置の表示画面に、複数領域に分けて順次表示されるように、前記地図表示装置に配信すべき複数の配信データをそれぞれ作成する配信データ作成工程と、
前記複数の配信データに対して、前記複数の地点のうちの２点を結ぶ線分を含む領域の配信データの配信順序が、他の配信データの配信順序よりも先になるように、前記配信順序の優先度を設定する優先度設定工程と、
前記優先度に従って、順次、前記複数の配信データを前記地図表示装置に配信する地図データ配信工程と、
を備える制御方法。
【請求項１９】
地図表示装置の制御方法であって、
前記地図表示装置は、地図データを記憶する地図データ記憶部を備えており、
前記地図表示装置の表示画面に表示すべき地図上の地点を特定するための位置特定情報を入力する位置特定情報入力工程と、
前記位置特定情報に基づいて設定された表示範囲を分割して、複数の表示単位領域を決定する表示単位決定工程と、
前記地図データ記憶部から前記地図データを取得し、前記複数の表示単位領域の地図を前記表示画面に表示するための複数の表示データをそれぞれ作成する表示データ作成工程と、
前記複数の表示データを、前記位置特定情報に基づいて定められた優先度に従って、順次、前記表示画面に表示する表示制御工程と、
を備える制御方法。
【請求項２０】
地図表示装置の制御方法であって、
前記地図表示装置は、地図データを記憶する地図データ記憶部を備えており、
前記地図表示装置の表示画面に表示すべき地図上の複数の地点を特定するための位置特定情報を入力する位置特定情報入力工程と、
前記地図データ記憶部から前記地図データを取得し、前記複数の地点を含むように設定された表示範囲の地図が、前記表示画面に複数領域に分けて順次表示されるように、前記表示画面に表示すべき複数の表示データをそれぞれ作成する表示データ作成工程と、
前記複数の表示データに対して、前記複数の地点のうちの２点を結ぶ線分を含む表示データの表示順序が、他の表示データの表示順序よりも先になるように、前記表示順序の優先度を設定する優先度設定工程と、
前記優先度に従って、順次、前記複数の表示データを前記表示画面に表示する表示制御工程と、
を備える制御方法。
【請求項２１】
所定の地図表示装置に地図データを配信する地図データ配信装置を制御するためのコンピュータプログラムであって、
前記地図データ配信装置は、地図データを記憶する地図データ記憶部を備えており、
前記地図表示装置の表示画面に表示すべき地図上の地点を特定するための位置特定情報を入力する位置特定情報入力機能と、
前記位置特定情報に基づいて設定された表示範囲を分割して、複数の配信単位領域を決定する配信単位決定機能と、
前記地図データ記憶部から前記地図データを取得し、前記複数の配信単位領域の地図を前記地図表示装置の表示画面に表示させるための複数の配信データをそれぞれ作成する配信データ作成機能と、
前記複数の配信データを、前記位置特定情報に基づいて定められた優先度に従って、順次、前記地図表示装置に配信する地図データ配信機能と、
をコンピュータに実現させるためのコンピュータプログラム。
【請求項２２】
所定の地図表示装置に地図データを配信する地図データ配信装置を制御するためのコンピュータプログラムであって、
前記地図データ配信装置は、地図データを記憶する地図データ記憶部を備えており、
前記地図表示装置の表示画面に表示すべき地図上の複数の地点を特定するための位置特定情報を入力する位置特定情報入力機能と、
前記地図データ記憶部から前記地図データを取得し、前記複数の地点を含むように設定された表示範囲の地図が、前記地図表示装置の表示画面に、複数領域に分けて順次表示されるように、前記地図表示装置に配信すべき複数の配信データをそれぞれ作成する配信データ作成機能と、
前記複数の配信データに対して、前記複数の地点のうちの２点を結ぶ線分を含む領域の配信データの配信順序が、他の配信データの配信順序よりも先になるように、前記配信順序の優先度を設定する優先度設定機能と、
前記優先度に従って、順次、前記複数の配信データを前記地図表示装置に配信する機能と、
をコンピュータに実現させるためのコンピュータプログラム。
【請求項２３】
地図表示装置を制御するためのコンピュータプログラムであって、
前記地図表示装置は、地図データを記憶する地図データ記憶部を備えており、
前記地図表示装置の表示画面に表示すべき地図上の地点を特定するための位置特定情報を入力する位置特定情報入力機能と、
前記位置特定情報に基づいて設定された表示範囲を分割して、複数の表示単位領域を決定する表示単位決定機能と、
前記地図データ記憶部から前記地図データを取得し、前記複数の表示単位領域の地図を前記表示画面に表示するための複数の表示データをそれぞれ作成する表示データ作成機能と、
前記複数の表示データを、前記位置特定情報に基づいて定められた優先度に従って、順次、前記表示画面に表示する表示制御機能と、
をコンピュータに実現させるためのコンピュータプログラム。
【請求項２４】
地図表示装置を制御するためのコンピュータプログラムであって、
前記地図表示装置は、地図データを記憶する地図データ記憶部を備えており、
前記地図表示装置の表示画面に表示すべき地図上の複数の地点を特定するための位置特定情報を入力する位置特定情報入力機能と、
前記地図データ記憶部から前記地図データを取得し、前記複数の地点を含むように設定された表示範囲の地図が、前記表示画面に複数領域に分けて順次表示されるように、前記表示画面に表示すべき複数の表示データをそれぞれ作成する表示データ作成機能と、
前記複数の表示データに対して、前記複数の地点のうちの２点を結ぶ線分を含む表示データの表示順序が、他の表示データの表示順序よりも先になるように、前記表示順序の優先度を設定する優先度設定機能と、
前記優先度に従って、順次、前記複数の表示データを前記表示画面に表示する表示制御機能と、
をコンピュータに実現させるためのコンピュータプログラム。
【請求項２５】
請求項２１ないし２４のいずれかに記載のコンピュータプログラムをコンピュータ読み取り可能に記録した記録媒体。
【手続補正２】
【補正対象書類名】明細書
【補正対象項目名】０００８
【補正方法】変更
【補正の内容】
【０００８】
上述の課題の少なくとも一部を解決するため、本発明では、以下の構成を採用した。
本発明の第１の地図データ配信装置は、
所定の地図表示装置に地図データを配信する地図データ配信装置であって、
地図データを記憶する地図データ記憶部と、
前記地図表示装置の表示画面に表示すべき地図上の地点を特定するための位置特定情報を入力する表示範囲特定情報入力部と、
前記位置特定情報に基づいて設定された表示範囲を分割して、複数の配信単位領域を決定する配信単位決定部と、
前記地図データ記憶部から前記地図データを取得し、前記複数の配信単位領域の地図を前記地図表示装置の表示画面に表示させるための複数の配信データをそれぞれ作成する配信データ作成部と、
前記複数の配信データを、前記位置特定情報に基づいて定められた優先度に従って、順次、前記地図表示装置に配信する地図データ配信部と、
を備えることを要旨とする。
【手続補正３】
【補正対象書類名】明細書
【補正対象項目名】００１５
【補正方法】変更
【補正の内容】
【００１５】
本発明の地図データ配信装置において、さらに、
前記複数の配信データに対して、前記地図上の地点を含む配信データの配信順序が、該地図上の地点を含まない配信データの配信順序よりも先となるように、前記優先度を設定する優先度設定部を備えるようにすることが好ましい。
【手続補正４】
【補正対象書類名】明細書
【補正対象項目名】００１８
【補正方法】変更
【補正の内容】
【００１８】
本発明の第２の地図データ配信装置は、
所定の地図表示装置に地図データを配信する地図データ配信装置であって、
地図データを記憶する地図データ記憶部と、
前記地図表示装置の表示画面に表示すべき地図上の複数の地点を特定するための位置特定情報を入力する位置特定情報入力部と、
前記地図データ記憶部から前記地図データを取得し、前記複数の地点を含むように設定された表示範囲の地図が、前記地図表示装置の表示画面に、複数領域に分けて順次表示されるように、前記地図表示装置に配信すべき複数の配信データをそれぞれ作成する配信データ作成部と、
前記複数の配信データに対して、前記複数の地点のうちの２点を結ぶ線分を含む領域の配信データの配信順序が、他の配信データの配信順序よりも先になるように、前記配信順序の優先度を設定する優先度設定部と、
前記優先度に従って、順次、前記複数の配信データを前記地図表示装置に配信する地図データ配信部と、
を備えることを要旨とする。
【手続補正５】
【補正対象書類名】明細書
【補正対象項目名】００２２
【補正方法】変更
【補正の内容】
【００２２】
本発明の第２の地図データ配信装置において、
前記地図データ記憶部が、前記地図データをメッシュ単位で記憶している場合、
前記配信データ作成部は、前記表示範囲を、前記メッシュ単位とは無関係に設定された単位で分割して、複数の配信単位領域を決定し、前記地図データから、前記複数の配信データを作成するようにすることができる。